(57)【要約】【課題】連続撮影機能の使い勝手が良く、最終的に撮影される画像の品質劣化を防止する撮影装置を提供する。【解決手段】連続撮影が可能な撮像装置１であって、連続撮影の開始を指示する操作部１７と、連続撮影での画像を入力する光学レンズ１１、撮像素子１２と、入力された画像についての複数の判定要素の判定値が、複数の判定要素の判定閾値以上であるか否かを判定し、各判定要素の判定値が各判定閾値以上であると判定された場合、連続撮影を停止させ、いずれかの判定要素の判定値が当該判定要素の判定閾値未満であると判定された場合、当該判定要素の判定閾値を減少させる画像処理部１４と、を備える。【選択図】図３
2011077906.tif 000002
【特許請求の範囲】
【請求項１】
連続撮影が可能な撮像装置であって、
連続撮影の開始を指示する連続撮影開始指示部と、
前記連続撮影での画像を入力する画像入力部と、
前記画像入力部により入力された画像についての複数の判定要素の判定値が、前記複数の判定要素の判定閾値以上であるか否かを判定する画像判定部と、
前記画像判定部により各判定要素の判定値が各判定閾値以上であると判定された場合、前記連続撮影を停止させる連続撮影停止制御部と、
前記画像判定部によりいずれかの判定要素の判定値が当該判定要素の判定閾値未満であると判定された場合、当該判定要素の判定閾値を減少させる判定閾値補正部と、
を備える撮影装置。
【請求項２】
請求項１に記載の撮影装置であって、
前記判定閾値補正部は、前記画像判定部によりいずれかの判定要素の判定値が当該判定要素の判定閾値未満であると判定された場合、当該判定要素以外の判定要素の判定閾値を増大させる撮影装置。
【請求項３】
請求項２に記載の撮影装置であって、
前記連続撮影停止制御部は、前記判定閾値補正部により増大された判定閾値が、当該判定閾値の判定要素の上限閾値以上である場合、前記連続撮影を停止させる撮影装置。
【請求項４】
連続撮影が可能な撮影装置における撮影方法であって、
連続撮影の開始を指示するステップと、
前記連続撮影での画像を入力するステップと、
入力された画像についての複数の判定要素の判定値が、前記複数の判定要素の判定閾値以上であるか否かを判定するステップと、
各判定要素の判定値が各判定閾値以上であると判定された場合、前記連続撮影を停止させるステップと、
いずれかの判定要素の判定値が当該判定要素の判定閾値未満であると判定された場合、当該判定要素の判定閾値を減少させるステップと、
を有する撮影方法。
【請求項５】
請求項４に記載の撮影方法の各ステップをコンピュータに実行させるためのプログラム。
【発明の詳細な説明】
【技術分野】
【０００１】
本発明は、連続撮影機能を有する撮影装置、撮影方法、及びプログラムに関する。
【背景技術】
【０００２】
従来、一度の撮影ボタンの押下により連続的に撮影することが可能な連続撮影機能を有する撮影装置が知られている。このような連続撮影機能を有する撮影装置の一例として、連続撮影モードの設定がなされると、所定の条件を満たす画像を得るまで撮影を連続的に行い、所定の条件を満たすと連続撮影を終了することが可能な撮影装置が知られている（例えば、特許文献１参照）。また、他の一例として、連続撮影時間の経過に伴い、笑顔検出判定閾値を下げることが可能な撮影装置が知られている（例えば、特許文献２参照）。
【先行技術文献】
【特許文献】
【０００３】
【特許文献１】特開２００８−０７８７１２号公報
【特許文献２】特開２００８−３１１８１９号公報
【発明の概要】
【発明が解決しようとする課題】
【０００４】
しかしながら、特許文献１の技術では、所定の条件を満たす画像が得られない場合には連続撮影が終了しないことになり、多大な時間や電力を消費することになり、連続撮影機能が使い勝手の悪い機能となってしまう。また、特許文献２の技術では、笑顔検出判定閾値を下げることで所望のタイミングで連続撮影を終了することはできるが、判定基準が複数ある場合に、いずれの判定基準の判定閾値についても一律に下げてしまうと、最終的に撮影される画像は低品質のものとなってしまう。
【０００５】
本発明は、上記従来の事情に鑑みてなされたものであって、連続撮影機能の使い勝手が良く、最終的に撮影される画像の品質劣化を防止することが可能な撮影装置、撮影方法、及びプログラムを提供することを目的とする。
【課題を解決するための手段】
【０００６】
本発明の撮影装置は、連続撮影が可能な撮像装置であって、連続撮影の開始を指示する連続撮影開始指示部と、前記連続撮影での画像を入力する画像入力部と、前記画像入力部により入力された画像についての複数の判定要素の判定値が、前記複数の判定要素の判定閾値以上であるか否かを判定する画像判定部と、前記画像判定部により各判定要素の判定値が各判定閾値以上であると判定された場合、前記連続撮影を停止させる連続撮影停止制御部と、前記画像判定部によりいずれかの判定要素の判定値が当該判定要素の判定閾値未満であると判定された場合、当該判定要素の判定閾値を減少させる判定閾値補正部と、を備える。
【０００７】
上記構成によれば、連続撮影機能の使い勝手が良く、最終的に撮影される画像の品質劣化を防止することが可能である。例えば、どうしても笑わない被写体に対しては、笑顔検出のための判定閾値のみ減少させていくが、ブレ検出、正面向き検出などの他の判定要素の判定閾値は減少させないようにすることが可能になる。したがって、判定値が判定閾値を上回っている判定要素まで判定閾値が減少され、ベストショットの品質が劣化することを防止することができる。
【０００８】
また、本発明の撮影装置は、前記判定閾値補正部が、前記画像判定部によりいずれかの判定要素の判定値が当該判定要素の判定閾値未満であると判定された場合、当該判定要素以外の判定要素の判定閾値を増大させる。
【０００９】
上記構成によれば、例えば、ようやく笑顔度の判定値が判定閾値以上となり、笑顔検出に達することができた場合には、当初から余裕のあったブレ判定やコントラスト判定などの他の判定要素に対しては、判定閾値の初期設定値よりも高基準を判定値が上回ることで、ベストショットの品質をより向上させることができる。
【００１０】
また、本発明の撮影装置は、前記連続撮影停止制御部が、前記判定閾値補正部により増大された判定閾値が、当該判定閾値の判定要素の上限閾値以上である場合、前記連続撮影を停止させる。
【００１１】
上記構成によれば、たとえ所定の判定要素で判定閾値を下回っている場合であっても、他の判定要素で非常に大きい判定値を得ることができた場合には、総合的に見て品質の優れたベストショットを得ることができる。例えば、なかなか真正面を向いてくれない赤ちゃんを撮影する際に、正面向き判定の判定閾値を徐々に減少させる一方、非常に高い笑顔度が得られた場合には、必ずしも赤ちゃんが真正面を向いていなくても、最高の笑顔をベストショットとして得ることができる。
【００１２】
また、本発明の撮影方法は、連続撮影が可能な撮影装置における撮影方法であって、連続撮影の開始を指示するステップと、前記連続撮影での画像を入力するステップと、入力された画像についての複数の判定要素の判定値が、前記複数の判定要素の判定閾値以上であるか否かを判定するステップと、各判定要素の判定値が各判定閾値以上であると判定された場合、前記連続撮影を停止させるステップと、いずれかの判定要素の判定値が当該判定要素の判定閾値未満であると判定された場合、当該判定要素の判定閾値を減少させるステップと、を有する。
【００１３】
上記方法によれば、連続撮影機能の使い勝手が良く、最終的に撮影される画像の品質劣化を防止することが可能である。
【００１４】
また、本発明のプログラムは、上記撮影方法の各ステップをコンピュータに実行させるためのプログラムである。
【００１５】
上記プログラムによれば、連続撮影機能の使い勝手が良く、最終的に撮影される画像の品質劣化を防止することが可能である。
【発明の効果】
【００１６】
本発明によれば、連続撮影機能の使い勝手が良く、最終的に撮影される画像の品質劣化を防止することが可能である。
【図面の簡単な説明】
【００１７】
【図１】本発明の実施形態における撮影装置の構成の一例を示すブロック図
【図２】本発明の実施形態における撮影画像に関する複数の判定要素の判定値、判定閾値の一例を示した図
【図３】本発明の実施形態における撮影装置の基本動作の一例を示すフローチャート
【図４】本発明の実施形態におけるベストショット分析処理の詳細な処理手順の一例を示すフローチャート
【図５】本発明の実施形態における判定閾値の補正処理例１を示したフローチャート
【図６】本発明の実施形態における判定閾値の補正処理例１による補正を行った結果の一例を示すイメージ図
【図７】本発明の実施形態における判定閾値の補正処理例２を示したフローチャート
【図８】本発明の実施形態における判定閾値の補正処理例２による補正を行った結果の一例を示すイメージ図
【図９】本発明の実施形態における判定閾値の補正処理例３を示したフローチャート
【図１０】本発明の実施形態における判定閾値の補正処理例３による補正を行った結果の一例を示すイメージ図
【発明を実施するための形態】
【００１８】
以下、本発明の実施形態について、図面を用いて詳細に説明する。
【００１９】
本発明の実施形態における撮影装置は、連続撮影（以下、連写ともいう）機能を有するデジタルカメラ、デジタルビデオカメラ、携帯電話、携帯情報端末等である。また、以下に説明する撮影装置の各機能をコンピュータに実現させるためのプログラムを有するようにしてもよい。
【００２０】
図１は本発明の実施形態における撮影装置の構成の一例を示すブロック図である。図１に示す撮影装置１は、光学レンズ１１、撮像素子１２、ＡＤＣ（Analog Digital Converter）１３、画像処理部１４、表示部１５、記録部１６、操作部１７、制御部（ＣＰＵ）１８を有する。
【００２１】
光学レンズ１１は、被写体からの光を撮像素子１２に集光するためのレンズである。撮像素子１２は、ＣＣＤやＣＭＯＳなどの光電変換効果を持つ各画素が２次元に配列され、被写体からの入射光を電気信号に変換し、アナログ画像信号を出力する。したがって、撮像素子１２は、画像を入力する画像入力部として機能する。ＡＤＣ１３は、撮像素子から出力されたアナログ画像信号に対して、雑音抑圧処理、サンプル・ホールド処理、利得制御処理等を行い、ＡＤ変換してデジタル画像信号を出力する。
【００２２】
画像処理部１４は、撮影画像の明るさ、色の補正や解像度変換等の所定の画像処理、所定の符号化処理／復号化処理を行うコーデック（ＣＯＤＥＣ）処理、撮影された画像が所望の画像（ベストショット）であるか否かを分析・判定するベストショット分析・判定処理、所望の画像であるか否かを判定するための判定閾値を設定するベストショット判定閾値設定処理等を行う。
【００２３】
表示部１５は、ＬＣＤ（liquid Crystal Display）、その他の薄型表示パネル等で構成され、画像処理部１４によって画像処理された画像等を表示する。記録部１６は、画像処理部１４によって画像処理された画像等を記録するメモリである。なお、記録部１６は、撮影装置１が備えるメモリであってもよいし、撮影装置１とは別に設けられる着脱可能なメモリであってもよい。また、これらのメモリが併用されてもよい。操作部１７は、ユーザが指示入力を行うための各種操作を行う。例えば、シャッタ・レリーズ・ボタンやフラッシュ発光のオン／オフなどの各種設定を行うためのキーやダイヤル等を備える。操作部１７への操作に応じて、制御信号が制御部１８に入力される。また、操作部１７は、連続撮影の開始の指示も行う。制御部１８は、撮影装置１の各構成部１１〜１７に対して各種制御を行う。
【００２４】
ここで、画像処理部１４によるベストショット分析・判定処理について説明する。
撮影装置１では、ベストショットと判定するために複数の判定要素が存在する。複数の判定要素には、例えば、笑顔度、ブレ度、正面向き度、中央度、コントラスト、明るさ、まばたき度などが含まれる。また、判定要素の数は任意である。また、それぞれの判定要素の閾値である判定閾値は任意であり、例えば、（ａ）全て固定値、（ｂ）判定要素毎に固定値、（ｃ）ユーザの操作部１７への操作に応じて設定、（ｄ）夜景モード、風景モード、花火モード等の撮影モードと連携して画像処理部１４が設定、とすることが可能である。
【００２５】
画像処理部１４は、連写中の１つの撮影毎に、それぞれの判定要素（判定要素１、・・・、判定要素Ｎ）に対する分析を行い、得点化する。図２は、各判定要素の得点化された分析結果（判定値）の一例を示す図である。図２に示す例では、「Ｗｏｒｓｔ」が得点（判定値）０、「Ｂｅｓｔ」が得点（判定値）１００を示しており、判定結果１は判定閾値を上回る例、判定結果Ｎは判定閾値を下回る例を示している。
【００２６】
次に、撮影装置１の基本動作について説明する。
図３は、撮影装置１の基本動作を示すフローチャートである。図３の処理は、操作部１７の１つであるシャッタボタンが押下されたことを制御部１８が検知すると、開始される。また、自動撮影開始設定として、例えば笑顔度が所定基準以上となったときに自動的に撮影開始を行うように制御部１８が設定してもよい。
【００２７】
まず、画像処理部１４は、撮影条件の設定を行う（ステップＳ１）。ここでは、複数の判定要素について判定閾値（初期値）を設定する。判定閾値を設定するためには、上記の（ａ）〜（ｄ）のような設定方法がある。
【００２８】
続いて、光学レンズ１１、撮像素子１２が被写体を撮影し、ＡＤＣ１３を介して、画像処理部１４が撮影画像に対し所定の画像処理、コーデック処理等を行う（ステップＳ２）。
【００２９】
続いて、画像処理部１４は、ベストショット分析処理を行う（ステップＳ３）。具体的には、図２に示したように、撮影画像に関する複数の判定要素について得点化を行う。
【００３０】
ここで、図４は、ステップＳ３のベストショット分析処理の詳細な処理手順の一例を示すフローチャートである。ベストショット分析処理では、ｎが判定要素の数Ｎに達するまで、以下の処理を繰り返す。
【００３１】
まず、画像処理部１４は、判定要素ｎの判定値［ｎ］を判定要素ｎの判定閾値［ｎ］と比較する（ステップＳ３１）。比較の結果、判定値［ｎ］が判定閾値［ｎ］を下回った場合、画像処理部１４は、判定結果［ｎ］をＮＧとして設定する（ステップＳ３２）。一方、判定値［ｎ］が判定閾値［ｎ］を上回った場合、画像処理部１４は、判定結果［ｎ］をＯＫとして設定する（ステップＳ３３）。
【００３２】
続いて、画像処理部１４は、ベストショット分析処理結果を基に、撮影画像が所望の画像（ベストショット）であるか否かを判定する（ステップＳ４）。例えば、複数の判定要素のそれぞれについて、判定閾値を判定値が上回った場合には、撮影画像がベストショットであると判定し、判定閾値を判定値が１つでも下回った場合には、撮影画像がベストショットでないと判定する。言い換えると、図４に示した判定結果［ｎ］の中にＮＧがない場合には、撮影画像がベストショットであると判定し、判定結果［ｎ］の中にＮＧがある場合には撮影画像がベストショットでないと判定する。
【００３３】
撮影画像がベストショットである場合には、記録部１６が、その撮影画像を記録する（ステップＳ５）。また、このとき、画像処理部１４は、連続撮影を停止させる。
【００３４】
一方、撮影画像がベストショットでない場合には、画像処理部１４は、複数の判定要素のうち少なくとも１つについて判定閾値の補正処理を行う（ステップＳ６）。そして、補正された判定閾値を用いて、連写中の次回の撮影時のベストショット分析等を行うべく、ステップＳ２に戻る。
【００３５】
このように、撮影装置１は、連写中の撮影画像にベストショットがない場合に判定閾値の補正を行うが、この判定閾値の補正処理にはいくつかの方法があるので、以下に順次説明する。
【００３６】
（判定閾値の補正処理例１）
判定閾値の補正処理例１は、判定閾値を判定値が上回ることのできない判定要素の判定閾値のみ減少させ、判定閾値を判定値が上回った判定要素の判定閾値は減少させない処理である。
【００３７】
図５は、図３のステップＳ６の判定閾値の補正処理例１を示したフローチャートである。図５の処理は、連写中の撮影画像がベストショットでない場合（図３のステップＳ４のＮｏ）、つまり図４に示した判定結果［ｎ］の中にＮＧがある場合に行われる。
【００３８】
図５では、ｎが判定要素の数Ｎに達するまで、以下の処理を繰り返す。まず、画像処理部１４は、判定結果［ｎ］がＮＧであるか否かを判定する（ステップＳ６０１）。判定結果［ｎ］がＮＧであれば、画像処理部１４は、判定閾値［ｎ］をＤＷ［ｎ、ｔ］だけ減少させる（ステップＳ６０２）。つまり、画像処理部１４は、いずれかの判定要素の判定値が当該判定要素の判定閾値未満であると判定した場合、当該判定要素の判定閾値を減少させる。一方、判定結果「ｎ」がＯＫであれば、判定閾値［ｎ］を変更しない。この判定閾値の補正処理後は、撮影装置１の動作としては、図３のステップＳ２に戻る。
【００３９】
ここで、ＤＷ［ｎ、ｔ］は、判定閾値ｎの時刻ｔにおける減少幅ＤＷを示している。減少幅ＤＷ［ｎ、ｔ］は、画像処理部１４が判定要素毎に設定可能であり、画像処理部１４が時間に応じて減少幅ＤＷを変化させることができ、画像処理部１４が撮影モードと連携して変化させることが可能である。
【００４０】
図６は、判定閾値の補正処理例１による補正を行った結果の一例を示すイメージ図である。なお、図６に記載された閾値は、判定閾値を意味する。
【００４１】
まず、判定閾値の補正処理例１を行う撮影装置１は、連写での１回目の撮影を行う。連写中の１回目の撮影では、図６（ａ）に示すように、判定要素３のみが判定結果ＮＧとなっている。この結果から、画像処理部１４は、判定要素３の判定閾値［３］を減少させる。連写中の１回目の撮影では、判定結果ＮＧが存在するため、２回目の撮影を行う。連写中の２回目の撮影では、図６（ｂ）に示すように、第１回目の撮影と同様に、判定要素３のみが判定結果ＮＧとなっている。この結果から、画像処理部１４は、判定要素３の判定閾値［３］を減少させる。連写中の２回目の撮影では、判定結果ＮＧが存在するため、３回目の撮影を行う。連写中の３回目の撮影では、図６（ｃ）に示すように、判定要素３を含め全ての判定結果がＯＫとなっている。連写中の３回目の撮影では、判定結果ＮＧの判定要素が存在しなくなったため、その撮影画像を記録部１６が記録する。
【００４２】
なお、図６では１つの判定要素（判定要素３）のみ判定閾値［ｎ］を下回る例を示したが、複数の判定要素が判定閾値［ｎ］を下回る場合であっても、補正処理例１を適用可能である。
【００４３】
このような判定閾値の補正処理例１によれば、例えば、どうしても笑わない被写体に対しては、笑顔検出のための判定閾値のみ減少させていくが、ブレ検出、正面向き検出などの他の判定要素の判定閾値は減少させないようにすることが可能になる。したがって、判定値が判定閾値を上回っている判定要素まで判定閾値が減少され、ベストショットの品質が劣化することを防止することができる。
【００４４】
（判定閾値の補正処理例２）
判定閾値の補正処理例２は、判定閾値を減少させる間に生じてしまう時間を有効に利用するために、判定閾値を減少させる以外の判定要素の判定閾値を増大させ、余裕のある判定要素の判定閾値（判定基準）を高める処理である。
【００４５】
図７は、図３のステップＳ６の判定閾値の補正処理例２を示したフローチャートである。図７の処理は、連写中の撮影画像がベストショットでない場合（図３のステップＳ４のＮｏ）、つまり図４に示した判定結果［ｎ］の中にＮＧがある場合に行われる。
【００４６】
図７では、ｎが判定要素の数Ｎに達するまで、以下の処理を繰り返す。まず、画像処理部１４は、判定結果［ｎ］がＮＧであるか否かを判定する（ステップＳ６１１）。判定結果［ｎ］がＮＧであれば、画像処理部１４は、判定閾値［ｎ］をＤＷ［ｎ、ｔ］だけ減少させる（ステップＳ６１２）。一方、判定結果「ｎ」がＯＫであれば、画像処理部１４は、判定閾値［ｎ］をＵＰ［ｎ、ｔ］だけ増大させる（ステップＳ６１３）。つまり、画像処理部１４は、いずれかの判定要素の判定値が当該判定要素の判定閾値未満であると判定した場合、当該判定要素以外の判定要素の判定閾値を増大させる。この判定閾値の補正処理後は、撮影装置１の動作としては、図３のステップＳ２に戻る。
【００４７】
ここで、ＵＰ［ｎ、ｔ］は、判定閾値ｎの時刻ｔにおける増大幅ＵＰを示している。増大幅ＵＰ［ｎ、ｔ］は、減少幅ＤＷ［ｎ、ｔ］と同様に、画像処理部１４が判定要素毎に設定可能であり、画像処理部１４が時間に応じて増大幅ＵＰを変化させることができ、画像処理部１４が撮影モードと連携して変化させることが可能である。
【００４８】
図８は、判定閾値の補正処理例２による補正を行った結果の一例を示すイメージ図である。なお、図８に記載された閾値は、判定閾値を意味する。
【００４９】
まず、判定閾値の補正処理例２を行う撮影装置１は、連写での１回目の撮影を行う。連写中の１回目の撮影では、図８（ａ）に示すように、判定要素３のみが判定結果ＮＧとなっている。この結果から、画像処理部１４は、判定要素３の判定閾値［３］を減少させ、その他の判定要素である判定要素１、２、４、５の判定閾値［１］、［２］、［４］、［５］を増大させる。連写中の１回目の撮影では、判定結果ＮＧが存在するため、２回目の撮影を行う。連写中の２回目の撮影では、図８（ｂ）に示すように、第１回目の撮影と同様に、判定要素３のみが判定結果ＮＧとなっている。この結果から、画像処理部１４は、判定要素３の判定閾値［３］を減少させ、その他の判定要素である判定要素１、２、４、５の判定閾値［１］、［２］、［４］、［５］を増大させる。連写中の２回目の撮影では、判定結果ＮＧが存在するため、３回目の撮影を行う。連写中の３回目の撮影では、図８（ｃ）に示すように、判定要素３を含め全ての判定結果がＯＫとなっている。連写中の３回目の撮影では、判定結果ＮＧの判定要素が存在しなくなったため、その撮影画像を記録部１６が記録する。
【００５０】
このような判定閾値の補正処理例２によれば、例えば、ようやく笑顔度の判定値が判定閾値以上となり、笑顔検出に達することができた場合には、当初から余裕のあったブレ判定やコントラスト判定などの他の判定要素に対しては、判定閾値の初期設定値よりも高基準を判定値が上回ることで、ベストショットの品質をより向上させることができる。
【００５１】
なお、連写によって複数撮影された画像のうち、後に撮影された画像の判定値が先に撮影された画像の判定値よりも大きくなるとは限らないが、元々判定値が大きい判定要素は、その後も判定値が大きくなる確率が高いため、高確率でベストショットの品質を向上させることができる。
【００５２】
（判定閾値の補正処理例３）
判定閾値の補正処理例３は、判定閾値を減少させる以外の判定要素の判定閾値を増大させる場合に、増大中の判定閾値が上限閾値を上回ったときには、判定要素ｎの判定値［ｎ］が判定閾値［ｎ］を下回る要素があったとしても、ベストショットであると判定する処理である。
【００５３】
図９は、図３のステップＳ６の判定閾値の補正処理例３を示したフローチャートである。図９の処理は、連写中の撮影画像がベストショットでない場合（図３のステップＳ４のＮｏ）、つまり図４に示した判定結果［ｎ］の中にＮＧがある場合に行われる。
【００５４】
図９では、ｎが判定要素の数Ｎに達するまで、以下の処理を繰り返す。まず、画像処理部１４は、判定結果［ｎ］がＮＧであるか否かを判定する（ステップＳ６２１）。判定結果［ｎ］がＮＧであれば、画像処理部１４は、判定閾値［ｎ］をＤＷ［ｎ、ｔ］だけ減少させる（ステップＳ６２２）。一方、判定結果「ｎ」がＯＫであれば、画像処理部１４は、判定閾値［ｎ］をＵＰ［ｎ、ｔ］だけ増大させる（ステップＳ６２３）。そして、画像処理部１４は、増大させた判定閾値［ｎ］を上限閾値［ｎ］と比較する（ステップＳ６２４）。判定閾値［ｎ］が上限閾値［ｎ］を上回ったときには、画像処理部１４は、当該撮影画像がベストショットであると判断し、連続撮影を停止させ、当該撮影画像を記録部１６が記録する（図３のステップＳ５）。つまり、画像処理部１４は、増大された判定閾値が、当該判定閾値の判定要素の上限閾値以上である場合、連続撮影を停止させる。この判定閾値の補正処理後は、撮影装置１の動作としては、図３のステップＳ２に戻る。
【００５５】
図１０は、判定閾値の補正処理例２による補正を行った結果の一例を示すイメージ図である。なお、図１０に記載された閾値は、判定閾値を意味する。
【００５６】
まず、連写での１回目の撮影、２回目の撮影は、図１０（ａ）、（ｂ）に示すように、判定閾値の補正処理例２において説明した図８（ａ）、（ｂ）と同様である。連写中の２回目の撮影では、判定結果ＮＧが存在し、いずれの判定閾値［ｎ］も上限閾値［ｎ］を上回っていないため、３回目の撮影を行う。連写中の３回目の撮影では、図８（ｃ）に示すように、判定要素３のみが判定結果ＮＧとなっている。しかしながら、判定要素４の判定閾値［４］が上限閾値［４］を上回っている。そのため、連写中の３回目に撮影された画像をベストショットと判断し、その撮影画像を記録部１６が記録する。
【００５７】
このような判定閾値の補正処理例３によれば、たとえ所定の判定要素で判定閾値を下回っている場合であっても、他の判定要素で非常に大きい判定値を得ることができた場合には、総合的に見て品質の優れたベストショットを得ることができる。例えば、なかなか真正面を向いてくれない赤ちゃんを撮影する際に、正面向き判定の判定閾値を徐々に減少させる一方、非常に高い笑顔度が得られた場合には、必ずしも赤ちゃんが真正面を向いていなくても、最高の笑顔をベストショットとして得ることができる。
【産業上の利用可能性】
【００５８】
本発明は、連続撮影機能の使い勝手が良く、最終的に撮影される画像の品質劣化を防止することが可能な撮影装置、プログラム等に有用である。
【符号の説明】
【００５９】
１  撮影装置
１１  光学レンズ
１２  撮影素子
１３  ＡＤＣ
１４  画像処理部
１５  表示部
１６  記録部
１７  操作部
１８  制御部（ＣＰＵ）
【図１】
2011077906.tif 000003
【図２】
2011077906.tif 000004
【図３】
2011077906.tif 000005
【図４】
2011077906.tif 000006
【図５】
2011077906.tif 000007
【図６】
2011077906.tif 000008
【図７】
2011077906.tif 000009
【図８】
2011077906.tif 000010
【図９】
2011077906.tif 000011
【図１０】
2011077906.tif 000012